【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
複数の受信アンテナを有するユーザ機器（ＵＥ）によってサポートされる複数の受信ダイバーシティ（Ｒ×Ｄ）探索モードの中から１つのＲ×Ｄ探索モードを選択することと、ここにおいて、前記複数のＲ×Ｄ探索モードの各々について、相関結果は、前記複数の受信アンテナの各々において受信された信号の各々に対して相関を別々に実行して、前記複数のＲ×Ｄ探索モードの各々について異なって前記受信された信号の各々に対して別々に獲得された前記相関結果を結合することによって獲得可能であり、なお、各Ｒ×Ｄ探索モードは、前記複数の受信アンテナによって受信された信号が相関より前に結合されるか否か、前記複数の受信アンテナについての前記相関結果が結合されるか否か、前記複数の受信アンテナについての前記相関結果がどのように結合されるか、または、前記複数の受信アンテナについての探索結果がどのように報告されるか、のうちの少なくとも１つにおいて、各残りのＲ×Ｄ探索モードとは異なる、
前記選択されたＲ×Ｄ探索モードに従って、探索の少なくとも１つのステップを実行し、１または複数のセルを検出し、前記検出された１または複数のセルについての情報を獲得することと、
前記ＵＥによってサポートされた前記複数のＲ×Ｄ探索モードの中から第２の受信ダイバーシティ（Ｒ×Ｄ）探索モードを選択することと、
前記選択された第２のＲ×Ｄ探索モードに従って、前記探索の少なくとも１つの他のステップを実行することと、
を備える、無線通信のための方法。
【請求項２】
前記複数のＲ×Ｄ探索モードは、相関動作が各受信アンテナに対して別々に実行され、前記相関結果が前記各受信アンテナに対して別々に結合され、前記探索結果が前記各受信アンテナに対して別々に報告される、少なくとも１つのＲ×Ｄ探索モードを含む、請求項１に記載の方法。
【請求項３】
前記複数のＲ×Ｄ探索モードは、相関動作が各受信アンテナに対して別々に実行され、前記複数の受信アンテナについての前記相関結果が結合され、前記複数の受信アンテナの全てについての前記探索結果が一斉に報告される、少なくとも１つのＲ×Ｄ探索モードを含む、請求項１に記載の方法。
【請求項４】
前記複数のＲ×Ｄ探索モードは、相関動作が前記複数の受信アンテナの各受信アンテナによって受信された各信号に適用される複素重みを有する前記複数の受信アンテナの全てに対して実行され、前記複数の受信アンテナについての前記相関結果が結合され、前記複数の受信アンテナの全てについての前記探索結果が一斉に報告される、少なくとも１つのＲ×Ｄ探索モードを含む、請求項１に記載の方法。
【請求項５】
別のセルからの信号の検出を可能にする、または、改善するために、前記各受信アンテナの前記複素重みを決定して、干渉セルからの信号を減衰させることをさらに備える、請求項４に記載の方法。
【請求項６】
前記探索は、少なくとも１つのセルを検出し、各検出された少なくとも１つのセルのスロットタイミングを決定するためのセル検出ステップを備え、前記探索の少なくとも１つのステップを実行することは、前記選択されたＲ×Ｄ探索モードに従って前記セル検出ステップを実行することを備える、請求項１に記載の方法。
【請求項７】
前記選択されたＲ×Ｄ探索モードに従って前記セル検出ステップを実行することは、
各受信アンテナの入力サンプルを、プライマリ同期化コード（ＰＳＣ）と相関させ、前記各受信アンテナについての相関結果を獲得することと、
前記複数の受信アンテナについての前記相関結果を結合し、結合相関結果を獲得することと、
前記結合相関結果に基づいて前記探索結果を決定することと、
を備える、請求項６に記載の方法。
【請求項８】
前記探索の前記少なくとも１つの他のステップは、前記検出された少なくとも１つのセルに対する前記複数の受信アンテナの各々についてのチャネルプロフィールを決定するために、前記選択された第２のＲ×Ｄ探索モードに従って実行される、チャネルプロフィール決定ステップを備える、請求項６に記載の方法。
【請求項９】
前記探索は、検出されたセルによって使用されるスクランブリングコードを決定するためのコード検出ステップを備え、前記探索の少なくとも１つのステップを前記実行することは、前記選択されたＲ×Ｄ探索モードに従って前記コード検出ステップを実行することを備える、請求項１に記載の方法。
【請求項１０】
前記選択されたＲ×Ｄ探索モードに従って前記コード検出ステップを実行することは、
各受信アンテナの入力サンプルを、複数の可能性のあるスクランブリングコードの各々と相関させ、前記各受信アンテナの前記複数の可能性のあるスクランブリングコードについての複数の相関結果を獲得することと、
各スクランブリングコードに対する前記複数の受信アンテナについての前記複数の相関結果のそれぞれを結合して、前記スクランブリングコードについての結合相関結果を獲得することと、
前記複数のスクランブリングコードについての複数の結合相関結果に基づいて前記探索結果を決定することと、
を備える、請求項９に記載の方法。
【請求項１１】
前記選択されたＲ×Ｄ探索モードに従って前記コード検出ステップを実行することは、
複数のフレームタイミング仮説の各々に対する各受信アンテナの入力サンプルを相関させ、前記各受信アンテナについての前記複数のフレームタイミング仮説に対する複数の相関結果を獲得することと、
前記複数のフレームタイミング仮説からの各フレームタイミング仮説に対する前記複数の受信アンテナについての前記複数の相関結果のそれぞれを結合して、前記各フレームタイミング仮説に対する、結合相関結果を獲得することと、
前記複数のフレームタイミング仮説に対する複数の結合相関結果に基づいて前記探索結果を決定することと、
を備える、請求項９に記載の方法。
【請求項１２】
前記選択されたＲ×Ｄ探索モードに従って前記コード検出ステップを前記実行することは、
各受信アンテナの入力サンプルを、複数の可能性のあるスクランブリングコードの各々と相関させ、前記各受信アンテナの前記複数の可能性のあるスクランブリングコードに対する複数の相関結果を獲得することと、
前記複数の可能性のあるスクランブリングコードからの各スクランブリングコードに対する前記複数の受信アンテナについての前記複数の相関結果のそれぞれを結合して、前記各スクランブリングコードに対する、結合相関結果を獲得することと、
複数のフレームタイミング仮説の各々に対して前記相関させることおよび前記結合することを繰り返すことと、
前記複数のフレームタイミング仮説の前記各々の前記複数のスクランブリングコードに対する複数の結合相関結果に基づいて前記探索結果を決定することと、
を備える、請求項９に記載の方法。
【請求項１３】
前記探索は、検出されたセルに対する前記複数の受信アンテナの各受信アンテナについてのチャネルプロフィールを決定するためのチャネル推定ステップを備え、前記探索の少なくとも１つのステップを実行することは、前記選択されたＲ×Ｄ探索モードに従って前記チャネル推定ステップを実行することを備える、請求項１に記載の方法。
【請求項１４】
前記選択されたＲ×Ｄ探索モードに従って前記チャネル推定ステップを実行することは、
複数の時間オフセットで、各受信アンテナの入力サンプルを、前記検出されたセルのスクランブリングコードと相関させ、前記各受信アンテナについての、前記複数の時間オフセットに対する複数の相関結果を獲得することと、
各時間オフセットおよび前記各受信アンテナに対して異なる時間インターバルで獲得された相関結果を結合することと、
前記各受信アンテナについての前記複数の時間オフセットに対する複数の結合相関結果に基づいて、前記各受信アンテナについての探索結果を決定することと、
を備える、請求項１３に記載の方法。
【請求項１５】
前記複数のＲ×Ｄ探索モードは、前記複数の受信アンテナによって受信された前記信号が重み付けされたサンプルを獲得するために重み付けされ、前記複数の受信アンテナの各々についての前記重み付けされたサンプルは、結合され重み付けされたサンプルを獲得するために結合され、前記結合され重み付けされたサンプルに基づいて前記複数の受信アンテナの全てについての相関動作は一斉に実行され、前記複数の受信アンテナについての前記相関結果は結合され、前記複数の受信アンテナの全てについての前記探索結果は一斉に報告される、少なくとも１つのＲ×Ｄ探索モードを含む、請求項１に記載の方法。
【請求項１６】
前記選択されたＲ×Ｄ探索モードに従って前記探索の前記少なくとも１つのステップを実行することは、前記選択されたＲ×Ｄ探索モードに従って前記探索の第１のステップを実行することを備え、前記第１のステップは、前記選択されたＲ×Ｄ探索モードに従ってセルを検出することおよび各検出されたセルのスロットタイミングを決定することのうちの１または複数を実行すること、または前記各検出されたセルによって使用されるスクランブリングコードを決定することを備え、ここにおいて、前記選択された第２のＲ×Ｄ探索モードに従って前記探索の前記少なくとも１つの他のステップを実行することは、前記複数のＲ×Ｄ探索モードの中から選択された前記第２のＲ×Ｄ探索モードに従って前記探索の第２のステップを実行することを備え、前記第２のステップは、前記第２のＲ×Ｄ探索モードに従って前記各検出されたセルに対する各受信アンテナについてのチャネルプロフィールを決定することを備える、請求項１に記載の方法。
【請求項１７】
前記複数のＲ×Ｄ探索モードのうちの１つに従って、別のセルからの信号の検出を可能にするまたは改善するために、前記複数の受信アンテナの各受信アンテナの複素重みを決定し、干渉セルからの信号を減衰させることをさらに備え、前記複数のＲ×Ｄ探索モードのうちの前記１つは、前記探索の前記少なくとも１つのステップを実行するために使用される前記選択されたＲ×Ｄ探索モード、または、前記探索の前記少なくとも１つの他のステップを実行するために使用される前記第２のＲ×Ｄ探索モード、のうちの少なくとも１つとは異なり、
ここにおいて、前記複数のＲ×Ｄ探索モードのうちの前記１つについて、相関は前記各受信アンテナに適用される前記複素重みを有する全ての前記複数の受信アンテナに対して別々に実行され、前記複数の受信アンテナについての相関結果は結合され、全ての前記複数の受信アンテナについての探索結果は一斉に報告される、請求項１に記載の方法。
【請求項１８】
複数の受信アンテナを有するユーザ機器（ＵＥ）によってサポートされる複数の受信ダイバーシティ（Ｒ×Ｄ）探索モードの中から１つのＲ×Ｄ探索モードを選択するための手段と、ここにおいて、前記複数のＲ×Ｄ探索モードの各々について、相関結果は、前記複数の受信アンテナの各々において受信された信号の各々に対して相関を別々に実行して、前記複数Ｒ×Ｄの探索モードの各々について異なって前記受信された信号の各々に対して別々に獲得された前記相関結果を結合することによって獲得可能であり、なお、各Ｒ×Ｄ探索モードは、前記複数の受信アンテナによって受信された信号が相関より前に結合されるか否か、前記複数の受信アンテナについての前記相関結果が結合されるか否か、前記複数の受信アンテナについての前記相関結果がどのように結合されるか、または、前記複数の受信アンテナについての探索結果がどのように報告されるか、のうちの少なくとも１つにおいて各残りのＲ×Ｄ探索モードとは異なる、
前記選択されたＲ×Ｄ探索モードに従って、探索の少なくとも１つのステップを実行し、１または複数のセルを検出し、前記検出された１または複数のセルについての情報を獲得するための手段と、
前記ＵＥによってサポートされた前記複数のＲ×Ｄ探索モードの中から第２の受信ダイバーシティ（Ｒ×Ｄ）探索モードを選択するための手段と、
前記選択された第２のＲ×Ｄ探索モードに従って、前記探索の少なくとも１つの他のステップを実行するための手段と、
を備える、無線通信のための装置。
【請求項１９】
前記複数のＲ×Ｄ探索モードは、相関動作が各受信アンテナに対して別々に実行され、前記相関結果が前記各受信アンテナに対して別々に結合され、且つ、前記探索結果が前記各受信アンテナに対して別々に報告される、少なくとも１つのＲ×Ｄ探索モードを含む、請求項１８に記載の装置。
【請求項２０】
前記複数のＲ×Ｄ探索モードは、相関動作が各受信アンテナに対して別々に実行され、前記複数の受信アンテナについての前記相関結果が結合され、且つ、前記複数の受信アンテナの全てについての前記探索結果が一斉に報告される、少なくとも１つのＲ×Ｄ探索モードを含む、請求項１８に記載の装置。
【請求項２１】
前記複数のＲ×Ｄ探索モードは、相関動作が各受信アンテナによって受信された各信号に適用される複素重みを有する前記複数の受信アンテナの全てに対して実行され、前記複数の受信アンテナについての前記相関結果が結合され、且つ、前記複数の受信アンテナの全てについての探索結果が一斉に報告される、少なくとも１つのＲ×Ｄ探索モードを含む、請求項１８に記載の装置。
【請求項２２】
複数の受信アンテナを有するユーザ機器（ＵＥ）によってサポートされる複数の受信ダイバーシティ（Ｒ×Ｄ）探索モードの中から１つのＲ×Ｄ探索モードを選択するように構成された少なくとも１つのプロセッサを備え、ここにおいて、前記複数のＲ×Ｄ探索モードの各々について、相関結果は、前記複数の受信アンテナの各々において受信された信号の各々に対して相関を別々に実行して、前記複数のＲ×Ｄ探索モードの各々について異なって前記受信された信号の各々に対して別々に獲得された前記相関結果を結合することによって獲得可能であり、なお、各Ｒ×Ｄ探索モードは、前記複数の受信アンテナによって受信された信号が相関より前に結合されるか否か、前記複数の受信アンテナについての前記相関結果が結合されるか否か、前記複数の受信アンテナについての相関結果がどのように結合されるか、または前記複数の受信アンテナについての探索結果がどのように報告されるか、のうちの少なくとも１つにおいて、各残りのＲ×Ｄ探索モードとは異なり、
ここにおいて、前記少なくとも１つのプロセッサは、
前記選択されたＲ×Ｄ探索モードに従って、探索の少なくとも１つのステップを実行し、１または複数のセルを検出し、前記検出された１または複数のセルについての情報を獲得し、
前記ＵＥによってサポートされる前記複数のＲ×Ｄ探索モードの中から第２の受信ダイバーシティ（Ｒ×Ｄ）探索モードを選択し、
前記選択された第２のＲ×Ｄ探索モードに従って、前記探索の少なくとも１つの他のステップを実行するようにさらに構成された、
無線通信のための装置。
【請求項２３】
前記複数のＲ×Ｄ探索モードは、相関動作が各受信アンテナに対して別々に実行され、前記相関結果が、前記各受信アンテナに対して別々に結合され、前記探索結果が前記各受信アンテナに対して別々に報告される、少なくとも１つのＲ×Ｄ探索モードを含む、請求項２２に記載の装置。
【請求項２４】
前記複数のＲ×Ｄ探索モードは、相関動作が各受信アンテナに対して別々に実行され、前記複数の受信アンテナについての前記相関結果が結合され、前記複数の受信アンテナの全てについての前記探索結果が一斉に報告される、少なくとも１つのＲ×Ｄ探索モードを含む、請求項２２に記載の装置。
【請求項２５】
前記複数のＲ×Ｄ探索モードは、相関動作が前記複数の受信アンテナの各受信アンテナによって受信された各信号に適用される複素重みを有する前記複数の受信アンテナの全てに対して実行され、前記複数の受信アンテナについての前記相関結果が結合され、前記複数の受信アンテナの全てについての前記探索結果が一斉に報告される、少なくとも１つのＲ×Ｄ探索モードを含む、請求項２２に記載の装置。
【請求項２６】
コンピュータによって実行されると、前記コンピュータに無線通信のための動作を実行させるコード備えるコンピュータ可読記憶媒体であって、
前記コンピュータに、複数の受信アンテナを有するユーザ機器（ＵＥ）によってサポートされる複数の受信ダイバーシティ（Ｒ×Ｄ）探索モードの中から１つのＲ×Ｄ探索モードを選択させるためのコードと、ここにおいて、前記複数のＲ×Ｄ探索モードの各々について、相関結果は、前記複数の受信アンテナの各々において受信された信号の各々に対して相関を別々に実行して、前記複数のＲ×Ｄ探索モードの各々について異なって前記受信された信号の各々に対して別々に獲得された前記相関結果を結合することによって獲得可能であり、なお、各Ｒ×Ｄ探索モードは、前記複数の受信アンテナによって受信された信号が相関より前に結合されるか否か、前記複数の受信アンテナについての前記相関結果が結合されるか否か、前記複数の受信アンテナンについての前記相関結果がどのように結合されるか、または前記複数の受信アンテナについての探索結果がどのように報告されるのか、のうちの少なくとも１つにおいて各残りのＲ×Ｄ探索モードとは異なる、
前記コンピュータに、前記選択されたＲ×Ｄ探索モードに従って、探索の少なくとも１つのステップを実行させ、１または複数のセルを検出させ、前記検出された１または複数のセルについての情報を獲得させるためのコードと、
前記コンピュータに、前記ＵＥによってサポートされる前記複数のＲ×Ｄ探索モードの中から第２の受信ダイバーシティ（Ｒ×Ｄ）探索モードを選択させるためのコードと、
前記コンピュータに、前記選択された第２のＲ×Ｄ探索モードに従って、前記探索の少なくとも１つの他のステップを実行させるためのコードと、
を備える、コンピュータ可読記憶媒体。
【請求項２７】
複数の受信アンテナを有するユーザ機器（ＵＥ）において、複数の受信ダイバーシティ（Ｒ×Ｄ）探索モードから選択された、第１のＲ×Ｄ探索モードに従って、探索の第１のステップを実行し、１または複数のセルを検出し、前記検出された１または複数のセルについての情報を獲得することと、
前記ＵＥにおいて、前記複数のＲ×Ｄ探索モードから選択された、第２のＲ×Ｄ探索モードに従って前記探索の第２のステップを実行することと、ここにおいて、前記複数のＲ×Ｄ探索モードの各々について、相関結果は、前記複数の受信アンテナの各々において受信された信号の各々に対して相関を別々に実行して、第１および第２のＲ×Ｄ探索モードの各々について異なって前記受信された信号の各々に対して別々に獲得された前記相関結果を結合することによって獲得可能であり、なお、前記第２のＲ×Ｄ探索モードは、前記複数の受信アンテナによって受信された信号が、相関より前に結合されるか否か、前記複数の受信アンテナについての前記相関結果が結合されるか否か、前記複数の受信アンテナについての前記相関結果がどのように結合されるか、または、前記複数の受信アンテナについての探索結果がどのように報告されるか、のうちの少なくとも１つにおいて、前記第１のＲ×Ｄ探索モードとは異なる、
別のセルからの信号の検出を可能にするまたは改善するために、前記複数の受信アンテナからの各受信アンテナに対して適用される複素重みを決定し、干渉セルからの信号を減衰させることと、
を備える、無線通信のための方法。
【請求項２８】
前記第１のＲ×Ｄ探索モードについて、相関動作は前記各受信アンテナに対して別々に実行され、前記複数のアンテナについての前記相関結果は結合され、前記複数の受信アンテナの全てについての前記探索結果は一斉に報告される、請求項２７に記載の方法。
【請求項２９】
前記第２のＲ×Ｄ探索モードについて、相関動作は前記各受信アンテナに対して別々に実行され、前記相関結果は前記各受信アンテナに対して別々に結合され、前記探索結果が前記各受信アンテナに対して別々に報告される、請求項２７に記載の方法。
【請求項３０】
前記探索の前記第１のステップを実行することは、少なくとも１つのセルを検出すること、および、前記少なくとも１つの検出されたセルの各々のスロットタイミングを決定することを備える、請求項２７に記載の方法。
【請求項３１】
前記探索の前記第１のステップを実行することは、検出されたセルによって使用されるスクランブリングコードを決定することを備える、請求項２７に記載の方法。
【請求項３２】
前記探索の前記第２のステップを実行することは、検出されたセルの前記各受信アンテナについてのチャネルプロフィールを決定することを備える、請求項２７に記載の方法。
【請求項３３】
複数の受信アンテナを有するユーザ機器（ＵＥ）において、複数の受信ダイバーシティ（Ｒ×Ｄ）探索モードから選択された、第１のＲ×Ｄ探索モードに従って、探索の第１のステップを実行し、１または複数のセルを検出し、前記検出された１または複数のセルについての情報を獲得するための手段と、
前記ＵＥにおいて、前記複数のＲ×Ｄ探索モードから選択された、第２のＲ×Ｄ探索モードに従って前記探索の第２のステップを実行するための手段と、ここにおいて、前記複数のＲ×Ｄ探索モードの各々について、相関結果は、前記複数の受信アンテナの各々において受信された信号の各々に対して相関を別々に実行して、第１および第２のＲ×Ｄ探索モードの各々について異なって前記受信された信号の各々に対して別々に獲得された前記相関結果を結合することによって獲得可能であり、なお、前記第２のＲ×Ｄ探索モードは、前記複数の受信アンテナによって受信された信号が相関より前に結合されるか否か、前記複数の受信アンテナについての前記相関結果が結合されるか否か、前記複数の受信アンテナについての前記相関結果がどのように結合されるのか、または、前記複数の受信アンテナについての探索結果がどのように報告されるか、のうちの少なくとも１つにおいて、前記第１のＲ×Ｄ探索モードとは異なる、
別のセルからの信号の検出を可能にするまたは改善するために、前記複数の受信アンテナからの各受信アンテナに対して適用される複素重みを決定し、干渉セルからの信号を減衰させるための手段と、
を備える、無線通信のための装置。
【請求項３４】
前記第１のＲ×Ｄ探索モードについて、相関動作は前記各受信アンテナに対して別々に実行され、前記複数の受信アンテナについての前記相関結果は結合され、前記複数の受信アンテナの全てについての前記探索結果は一斉に報告される、請求項３３に記載の装置。
【請求項３５】
前記第２のＲ×Ｄ探索モードについて、相関動作は前記各受信アンテナに対して別々に実行され、前記相関結果は前記各受信アンテナに対して別々に結合され、前記各受信アンテナについての前記探索結果は別々に報告される、請求項３３に記載の装置。
【請求項３６】
複数の受信アンテナを有するユーザ機器（ＵＥ）において、複数の受信ダイバーシティ（Ｒ×Ｄ）探索モードから選択された、第１のＲ×Ｄ探索モードに従って、探索の第１のステップを実行し、１または複数のセルを検出し、前記検出された１または複数のセルについての情報を獲得し、前記ＵＥにおいて、前記複数のＲ×Ｄ探索モードから選択された、第２のＲ×Ｄ探索モードに従って前記探索の第２のステップを実行し、別のセルからの信号の検出を可能にするまたは改善するために、前記複数の受信アンテナからの各受信アンテナに対して適用された複素重みを決定して、干渉セルからの信号を減衰させる、ように構成された少なくとも１つのプロセッサを備え、ここにおいて、前記複数のＲ×Ｄ探索モードの各々について、相関結果は、前記複数の受信アンテナの各々において受信された信号の各々に対して相関を別々に実行して、第１および第２のＲ×Ｄ探索モードの各々について異なって前記受信された信号の各々に対して別々に獲得された前記相関結果を結合することによって獲得可能であり、なお、前記第２のＲ×Ｄ探索モードは、前記複数の受信アンテナによって受信された信号が相関より前に結合されるか否か、前記複数の受信アンテナについての前記相関結果が結合されるか否か、前記複数の受信アンテナについての前記相関結果がどのように結合されるか、または、前記複数の受信アンテナについての探索結果がどのように報告されるか、のうちの少なくとも１つにおいて、前記第１のＲ×Ｄ探索モードとは異なる、
無線通信のための装置。
【請求項３７】
コンピュータによって実行されると、前記コンピュータに、無線通信のための動作を実行させるコード備えるコンピュータ可読記憶媒体であって、
前記コンピュータに、複数の受信アンテナを有するユーザ機器（ＵＥ）において、複数の受信ダイバーシティ（Ｒ×Ｄ）探索モードから選択された、第１のＲ×Ｄ探索モードに従って、探索の第１のステップを実行させ、１または複数のセルを検出させ、前記検出された１または複数のセルについての情報を獲得させるためのコードと、
前記コンピュータに、前記ＵＥにおいて、複数のＲ×Ｄ探索モードから選択された、第２のＲ×Ｄ探索モードに従って前記探索の第２のステップを実行させるためのコードと、ここにおいて、前記複数のＲ×Ｄ探索モードの各々について、相関結果は、前記複数の受信アンテナの各々において受信された信号の各々に対して相関を別々に実行して、第１および第２のＲ×Ｄ探索モードの各々について異なって前記受信された信号の各々に対して別々に獲得可能な前記相関結果を結合することによって獲得され、なお、前記第２のＲ×Ｄ探索モードは、前記複数の受信アンテナによって受信された信号が、相関より前に結合されるか否か、前記複数の受信アンテナについての前記相関結果が結合されるか否か、前記複数の受信アンテナについての前記相関結果がどのように結合されるか、または、前記複数の受信アンテナについての探索結果がどのように報告されるか、のうちの少なくとも１つにおいて、前記第１のＲ×Ｄ探索モードとは異なる、
前記コンピュータに、別のセルからの信号の検出を可能にさせるまたは改善させるために、前記複数の受信アンテナからの各受信アンテナに対して適用される複素重みを決定させ、干渉セルからの信号を減衰させるためのコードと、
を備える、コンピュータ可読記憶媒体。